【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
眼球涙液膜の画像を形成する方法であって、
眼球涙液膜の対象領域を、多波長光源で照明するステップ；
多波長光源によって照明されている間、眼球涙液膜の対象領域からの背景信号を含む正反射光の光波干渉を、画像形成装置によって、少なくとも１つの第一画像に獲得するステップ；
眼球涙液膜の対象領域からの背景信号を、画像形成装置によって、少なくとも１つの第二画像に獲得するステップ；次いで
少なくとも１つの第二画像を少なくとも１つの第一画像から減算して、背景信号を除いた又は減少させた、眼球涙液膜の対象領域から正反射される光の光波干渉を含む少なくとも１つの生成画像を作成するステップ
を含む、方法。
【請求項２】
眼球涙液膜から正反射される光の光波干渉が、１つ以上の光波干渉信号を含む、請求項１に記載の方法。
【請求項３】
背景信号が、迷光および周辺光の少なくとも１つを含む、請求項１に記載の方法。
【請求項４】
多波長光源が眼球涙液膜の対象領域を照明していないとき、少なくとも１つの第二画像を獲得するステップを含む、請求項１に記載の方法。
【請求項５】
多波長光源が眼球涙液膜の対象領域を照明しているとき、少なくとも１つの第二画像を獲得するステップを含む、請求項１に記載の方法。
【請求項６】
背景信号が、眼球涙液膜の照明から生ずる拡散反射光を含む、請求項５に記載の方法。
【請求項７】
背景信号が、眼の虹彩から拡散反射する光を含む、請求項６に記載の方法。
【請求項８】
眼球涙液膜の対象領域からの背景信号を少なくとも１つの第二画像に獲得するステップが、さらに、眼球涙液膜の対象領域から正反射される光を獲得しないステップを含む、請求項５に記載の方法。
【請求項９】
眼球涙液膜の対象領域を多波長光源で照明するステップが、前記多波長光源を制御して、眼球涙液膜の対象領域の少なくとも１つの第一部分から正反射される光を生成する一方、前記少なくとも１つの第一部分に隣接する眼球涙液膜の対象領域の少なくとも１つの第二部分を斜めに照明するステップを含む、請求項１に記載の方法。
【請求項１０】
さらに、多波長光源を制御して、眼球涙液膜の対象領域の少なくとも１つの第二部分から正反射される光を生成する一方、前記少なくとも１つの第二部分に隣接する眼球涙液膜の対象領域の少なくとも１つの第一部分を斜めに照明するステップを含む、請求項９に記載の方法。
【請求項１１】
眼球涙液膜の対象領域の少なくとも１つの第一部分からの背景信号を含む正反射光の第一タイル化パターンを、画像形成装置によって、少なくとも１つの第一画像に獲得するステップ；次いで
眼球涙液膜の対象領域の少なくとも１つの第二部分からの背景信号を含む正反射光の第二タイル化パターンを、画像形成装置によって、少なくとも１つの第二画像に獲得するステップ
によって、多波長光源を制御することを含む、請求項１０に記載の方法。
【請求項１２】
第一タイル化パターン中の対象領域の少なくとも１つの第二部分からの背景信号を、少なくとも１つの第一画像に獲得するステップ；次いで
第二タイル化パターン中の対象領域の少なくとも１つの第一部分からの背景信号を、少なくとも１つの第二画像に獲得するステップ
によって、多波長光源を制御することを含む、請求項１１に記載の方法。
【請求項１３】
少なくとも１つの第一部分と少なくとも１つの第二部分が、互いに隣接して配置されている、請求項１２に記載の方法。
【請求項１４】
さらに、少なくとも１つの第一画像を少なくとも１つの第二画像と結合して、背景信号を除いた又は減少させた、眼球涙液膜の対象領域から正反射される光の光波干渉を含むタイル化パターン中で少なくとも１つの生成画像を形成するステップを含む、請求項１２に記載の方法。
【請求項１５】
第一タイル化パターンが、歯のパターンおよび複数の共心パターンからなるグループで構成されている、請求項１１に記載の方法。
【請求項１６】
少なくとも１つの第一部分と少なくとも１つの第二部分が、等しいか又はほぼ等しい領域で構成されている、請求項１１に記載の方法。
【請求項１７】
さらに、
少なくとも１つの第一画像に正反射光の光波干渉と背景信号を獲得して、複数の第一画像を提供するステップ；次いで
少なくとも１つの第二画像に背景信号を獲得して、複数の第一画像によってインタリーブされた複数の第二画像を提供するステップ
を連続して繰り返して、複数の第一と第二の画像のペアを提供する
ことを含む、請求項１に記載の方法。
【請求項１８】
減算が、複数の第一と第二の画像のペア由来の第二画像を、複数の第一と第二の画像のペア由来の対応する第一画像から減算して、背景信号を除いた又は減少させた、眼球涙液膜の対象領域から正反射される光の光波干渉を各々が含む、複数の生成画像を作成するステップで構成されている、請求項１７に記載の方法。
【請求項１９】
さらに、線形応答を画像形成装置に設定するステップを含む、請求項１に記載の方法。
【請求項２０】
線形応答の設定が、画像形成装置のガンマ補正を調節するステップを含む、請求項１９に記載の方法。
【請求項２１】
さらに、眼球涙液膜の対象領域の照明を、少なくとも１つの第一画像の獲得と同期させるステップを含む、請求項１に記載の方法。
【請求項２２】
さらに、眼球涙液膜の対象領域を照明するとき、多波長光源内の１つ以上の発光装置を選択的に制御するステップを含む、請求項１に記載の方法。
【請求項２３】
さらに、少なくとも１つの第一画像の獲得および少なくとも１つの第二画像の獲得の前に、多波長光源および画像形成装置の少なくとも１つを、眼球涙液膜に関連して位置決めするステップを含む、請求項１に記載の方法。
【請求項２４】
眼球涙液膜の対象領域の多波長光源による照明が、眼球涙液膜の対象領域を多波長のランバート光源で均一もしくは実質的に均一に照明するステップを含む、請求項１に記載の方法。
【請求項２５】
さらに、少なくとも１つの第一画像、少なくとも１つの第二画像、または少なくとも１つの生成画像のうち少なくとも１つを、ビジュアルディスプレイに表示するステップを含む、請求項１に記載の方法。
【請求項２６】
さらに、少なくとも１つの生成画像をビジュアルディスプレイに表示する前に、少なくとも１つの生成画像の直線性を調節するステップを含む、請求項２５に記載の方法。
【請求項２７】
さらに、少なくとも１つの第一画像および少なくとも１つの第二画像のうち少なくとも１つの上にオーバーレイされた生成画像を、ビジュアルディスプレイに表示するステップを含む、請求項１に記載の方法。
【請求項２８】
さらに、ビジュアルディスプレイに表示された少なくとも１つの生成画像のコントラストレベル、彩度レベル、またはコントラストと彩度の両方のレベルを調節するステップを含む、請求項２５に記載の方法。
【請求項２９】
眼球涙液膜の画像を形成する装置であって、
（ａ）多波長光源によって照明されている間、画像形成装置によって獲得された眼球涙液膜の対象領域からの背景信号および正反射光の光波干渉を含む少なくとも１つの第一画像を受信し；
（ｂ）画像形成装置によって獲得された眼球涙液膜の対象領域からの背景信号を含む少なくとも１つの第二画像を受信し；
（ｃ）少なくとも１つの第二画像を少なくとも１つの第一画像から減算して、背景信号を除いた又は減少させた、眼球涙液膜の対象領域から正反射される光の光波干渉を含む少なくとも１つの生成画像を作成する
ように構成された制御システムを含む、装置。
【請求項３０】
眼球涙液膜から正反射される光の光波干渉が、１つ以上の光波干渉信号を含む、請求項２９に記載の装置。
【請求項３１】
背景信号が、迷光および周辺光の少なくとも１つを含む、請求項２９に記載の装置。
【請求項３２】
多波長光源が眼球涙液膜の対象領域を照明していないとき、画像形成装置が少なくとも１つの第二画像を獲得するように構成されている、請求項２９に記載の装置。
【請求項３３】
多波長光源が眼球涙液膜の対象領域を照明しているとき、画像形成装置が少なくとも１つの第二画像を獲得するように構成されている、請求項２９に記載の装置。
【請求項３４】
背景信号が、眼球涙液膜の照明から生ずる拡散反射光を含む、請求項３３に記載の装置。
【請求項３５】
背景信号が、眼の虹彩から拡散反射する光を含む、請求項３４に記載の装置。
【請求項３６】
眼球涙液膜の対象領域からの背景信号を少なくとも１つの第二画像に獲得するとき、  画像形成装置が、眼球涙液膜の対象領域から正反射される光を獲得しないように構成されている、請求項３３に記載の装置。
【請求項３７】
制御システムが、さらに、多波長光源を制御して、眼球涙液膜の対象領域の少なくとも１つの第一部分から正反射される光を生成する一方、この多波長光源が、少なくとも１つの第一部分に隣接する眼球涙液膜の対象領域の少なくとも１つの第二部分を斜めに照明するように構成されている、請求項２９に記載の装置。
【請求項３８】
制御システムが、さらに、多波長光源を制御して、眼球涙液膜の対象領域の少なくとも１つの第二部分から正反射される光を生成する一方、この多波長光源が、少なくとも１つの第二部分に隣接する眼球涙液膜の対象領域の少なくとも１つの第一部分を斜めに照明するように構成されている、請求項３７に記載の装置。
【請求項３９】
制御システムが、下記：
眼球涙液膜の対象領域の少なくとも１つの第一部分からの背景信号を含む正反射光の第一タイル化パターンを、画像形成装置によって、少なくとも１つの第一画像に獲得する；次いで
眼球涙液膜の対象領域の少なくとも１つの第二部分からの背景信号を含む正反射光の第二タイル化パターンを、画像形成装置によって、少なくとも１つの第二画像に獲得する
ように構成されることによって、正反射光の光波干渉および背景信号を含む少なくとも１つの第一画像を受信する
ように構成されている、請求項３８に記載の装置。
【請求項４０】
制御システムが、下記：
第一タイル化パターン中の対象領域の少なくとも１つの第二部分からの背景信号を、少なくとも１つの第一画像に獲得するステップ；次いで
第二タイル化パターン中の対象領域の少なくとも１つの第一部分からの背景信号を、少なくとも１つの第二画像に獲得するステップ
ように構成されることによって、画像形成装置によって獲得された眼球涙液膜の対象領域からの背景信号を含む少なくとも１つの第二画像を受信する
ように構成されている、請求項３９に記載の装置。
【請求項４１】
少なくとも１つの第一部分と少なくとも１つの第二部分が、互いに隣接して配置されている、請求項４０に記載の装置。
【請求項４２】
制御システムが、さらに、少なくとも１つの第一画像を少なくとも１つの第二画像と結合して、背景信号を除いた又は減少させた、眼球涙液膜の対象領域から正反射される光の光波干渉を含むタイル化パターン中で、少なくとも１つの生成画像を形成するように構成されている、請求項４０に記載の装置。
【請求項４３】
第一タイル化パターンが、歯のパターンおよび複数の共心パターンからなるグループで構成されている、請求項３９に記載の装置。
【請求項４４】
少なくとも１つの第一部分と少なくとも１つの第二部分が、等しいか又はほぼ等しい領域で構成されている、請求項３９に記載の装置。
【請求項４５】
制御システムが、さらに、
少なくとも１つの第一画像中に正反射光の光波干渉および背景信号を獲得して、複数の第一画像を提供し、および
少なくとも１つの第二画像中に背景信号を獲得して、複数の第一画像によってインタリーブされた複数の第二画像を提供することにより、複数の第一と第二の画像のペアを提供するよう
画像形成装置を連続的に制御するように構成されている、請求項２９に記載の装置。
【請求項４６】
制御システムが、複数の第一と第二の画像のペア由来の第二画像を、複数の第一と第二の画像のペア由来の対応する第一画像から減算して、背景信号を除いた又は減少させた眼球涙液膜の対象領域から正反射される光の光波干渉を各々が含む、複数の生成画像を作成するように構成されている、請求項４５に記載の装置。
【請求項４７】
制御システムが、さらに、画像形成装置に線形応答を設定するように構成されている、請求項２９に記載の装置。
【請求項４８】
制御システムが、さらに、画像形成装置のガンマ補正を調節するよう構成されていることによって、線形応答を設定するように構成されている、請求項４７に記載の装置。
【請求項４９】
制御システムが、さらに、眼球涙液膜の対象領域の多光波光源による照明を、少なくとも１つの第一画像と同期させるように構成されている、請求項２９に記載の装置。
【請求項５０】
制御システムが、さらに、眼球涙液膜の対象領域を照明するとき、多波長光源内の１つ以上の発光装置を選択的に制御するように構成されている、請求項２９に記載の装置。
【請求項５１】
制御システムが、さらに、少なくとも１つの第一画像の獲得および少なくとも１つの第二画像の獲得の前に、多波長光源および画像形成装置の少なくとも1つを、眼球涙液膜に関連して位置付けするように構成されている、請求項２９に記載の装置。
【請求項５２】
さらに、眼球涙液膜の対象領域を多波長光で照明するように構成された多波長光源を含む、請求項２９に記載の装置。
【請求項５３】
多波長光源が、眼球涙液膜の対象領域を均一もしくは実質的に均一に照明するように構成された多波長のランバート光源から構成される、請求項５２に記載の装置。
【請求項５４】
さらに、少なくとも１つの第一画像中で多波長光によって照明されている間、眼球涙液膜の対象領域から背景信号および正反射光の光波干渉を獲得し、および眼球涙液膜の対象領域からの背景信号を少なくとも１つの第二画像に獲得するように構成された画像形成装置を備えている、請求項２９に記載の装置。
【請求項５５】
制御システムが、さらに、少なくとも１つの第一画像、少なくとも１つの第二画像、または少なくとも１つの生成画像のうち少なくとも１つを、ビジュアルディスプレイに表示するように構成されている、請求項２９に記載の装置。
【請求項５６】
制御システムが、さらに、少なくとも１つの生成画像をビジュアルディスプレイに表示する前に、少なくとも１つの生成画像の直線性を調節するように構成されている、請求項５５に記載の装置。
【請求項５７】
制御システムが、さらに、少なくとも１つの第一画像および少なくとも１つの第二画像の少なくとも一方の上にオーバーレイされた生成画像を、ビジュアルディスプレイに表示するように構成されている、請求項２９に記載の装置。
【請求項５８】
制御システムが、さらに、ビジュアルディスプレイに表示された少なくとも１つの生成画像のコントラストレベル、彩度レベル、またはコントラストと彩度の両方のレベルを調節するように構成されている、請求項５５に記載の装置。
【請求項５９】
涙液膜層の厚さ（ＴＦＬＴ）を測定する方法であって、
（ａ）多波長光源によって照明されている間、眼球涙液膜の対象領域からの背景信号を含む正反射光の光波干渉を、画像形成装置によって、少なくとも１つの第一画像に獲得するステップ；
（ｂ）眼球涙液膜の対象領域からの背景信号を、画像形成装置によって、少なくとも１つの第二画像に獲得するステップ；
（ｃ）少なくとも１つの第二画像を少なくとも１つの第一画像から減算して、背景信号を除いた又は減少させた、眼球涙液膜の対象領域から正反射される光の光波干渉を含む少なくとも１つの生成画像を作成するステップ；
（ｄ）眼球涙液膜の対象領域の少なくとも一部分から正反射される光の光波干渉を表す少なくとも１つの生成画像の少なくとも一部分を、少なくとも１つのカラーベースの値に変換するステップ；
（ｅ）少なくとも１つのカラーベースの値を、涙液膜層の光波干渉モデルと比較するステップ；次いで
（ｆ）少なくとも１つのカラーベースの値の涙液膜層の光波干渉モデルとの比較に基づいて、眼球涙液膜の対象領域の少なくとも一部分のＴＦＬＴを測定するステップ
を含む、方法。
【請求項６０】
涙液膜の光波干渉モデルが、理論的な涙液膜の光波干渉モデルで構成されている、請求項５９に記載の方法。
【請求項６１】
さらに、ステップ（ｄ）、（ｅ）および（ｆ）の前に、しきい値関数を、少なくとも１つの生成画像に適用するステップを含む、請求項５９に記載の方法。
【請求項６２】
さらに、ステップ（ｄ）、（ｅ）および（ｆ）の前に、空間の収縮関数および膨張関数の少なくとも１つを、少なくとも１つの生成画像に適用するステップを含む、請求項５９に記載の方法。
【請求項６３】
さらに、ステップ（ｄ）、（ｅ）および（ｆ）の前に、まぶたの瞬き又は眼の運動が画像形成装置によって、少なくとも１つの第一画像および少なくとも１つの第二画像に獲得されたかどうか検出するステップを含む、請求項５９に記載の方法。
【請求項６４】
さらに、複数の第一画像を獲得するステップ（ａ）と、複数の第一画像でインタリーブされた複数の第二画像を獲得するステップ（ｂ）とを連続して繰り返して、複数の第一と第二の画像のペアを提供するステップを含む、請求項５９に記載の方法。
【請求項６５】
減算が、複数の第一と第二の画像のペア由来の複数の第二画像を、複数の第一と第二の画像のペア由来の対応する複数の第一画像から減算して、背景信号を除いた又は減少させた、眼球涙液膜の対象領域から正反射される光の光波干渉を各々が含む複数の生成画像を作成するステップを含む、請求項６４に記載の方法。
【請求項６６】
さらに、ステップ（ｄ）、（ｅ）および（ｆ）の前に、まぶたの瞬き又は眼の運動が画像形成装置によって、複数の第一と第二の画像のペアのいずれかに獲得されたかどうか検出するステップを含む、請求項６４に記載の方法。
【請求項６７】
さらに、ステップ（ｄ）、（ｅ）および（ｆ）の前に、まぶたの瞬き又は眼の運動を複数の生成画像に獲得する、複数の第一と第二の画像のペアのいずれも含まないステップを有する、請求項６６に記載の方法。
【請求項６８】
さらに、ステップ（ｄ）、（ｅ）および（ｆ）の前に、複数の第一と第二の画像のペアのいずれかを、まぶたの瞬き又は眼の運動を獲得している複数の生成画像から除くステップを有する、請求項６６に記載の方法。
【請求項６９】
まぶたの瞬き又は眼の運動が、画像形成装置により少なくとも１つの第一画像および少なくとも１つの第二画像に獲得されたかどうかの検出が、少なくとも１つの生成画像の強度の関数である、請求項６３に記載の方法。
【請求項７０】
まぶたの瞬き又は眼の運動が、画像形成装置により少なくとも１つの第一画像および少なくとも１つの第二画像に獲得されたかどうかの検出が、少なくとも１つの第一画像および少なくとも１つの第二画像中に瞳孔を検出するステップを含む、請求項６３に記載の方法。
【請求項７１】
さらに、Ｉｎｔｅｒｎａｔｉｏｎａｌ  Ｃｏｌｏｕｒ  Ｃｏｎｓｏｒｔｉｕｍ（ＩＣＣ）に基づいて、少なくとも１つの生成画像中の少なくとも１つのカラーベースの値を調節するステップを含む、請求項５９に記載の方法。
【請求項７２】
さらに、ステップ（ｅ）および（ｆ）の前に、少なくとも１つの生成画像からオフセットを減算するステップを含む、請求項５９に記載の方法。
【請求項７３】
少なくとも１つのカラーベースの値が、少なくとも１つの赤−緑−青（ＲＧＢ）成分値で構成されている、請求項５９に記載の方法。
【請求項７４】
少なくとも１つのカラーベースの値の涙液膜層の光波干渉モデルとの比較が、涙液膜層の光波干渉モデルにおける、少なくとも１つのカラーベースの値への最も密接な整合項目を決定するステップを含む、請求項５９に記載の方法。
【請求項７５】
最も密接な整合項目の決定が、少なくとも１つのカラーベースの値と涙液膜層の光波干渉モデル中のカラーベースの値との最も近い差を決定するステップを含む、請求項７４に記載の方法。
【請求項７６】
少なくとも１つのカラーベースの値の涙液膜層の光波干渉モデルとの比較に基づく、眼球涙液膜の対象領域の少なくとも一部分のＴＦＬＴの測定が、さらに、脂質層の厚さ（ＬＬＴ）および水性層の厚さ（ＡＬＴ）の少なくとも一方を測定するステップを含む、請求項５９に記載の方法。
【請求項７７】
涙液膜層の光波干渉モデルが、脂質層の厚さ（ＬＬＴ）および水性層の厚さ（ＡＬＴ）の少なくとも一方に各々対応する複数のカラーベースの値で構成されている、請求項５９に記載の方法。
【請求項７８】
涙液膜層の光波干渉モデルが、２４０ナノメートル（ｎｍ）のＬＬＴの表示を超えない複数のカラーベースの値に限定される、請求項５９に記載の方法。
【請求項７９】
涙液膜層の光波干渉モデルが、脂質層の厚さ（ＬＬＴ）に各々が対応する複数のカラーベースの値を含む第一次元、および水性層の厚さ（ＡＬＴ）に各々が対応する複数のカラーベースの値を含む第二次元からなる、少なくとも２つの次元で構成される、請求項５９に記載の方法。
【請求項８０】
涙液膜層の光波干渉モデルが、２波涙液膜層光波干渉モデルおよび３波涙液膜層光波干渉モデルからなるグループで構成されるモデルである、請求項５９に記載の方法。
【請求項８１】
眼球涙液膜の対象領域の少なくとも一部分から正反射される光の光波干渉を表す少なくとも１つの生成画像の少なくとも一部分が、少なくとも１つの生成画像中のピクセルを表す、請求項５９に記載の方法。
【請求項８２】
少なくとも１つのカラーベースの値が、眼球涙液膜の対象領域の複数の部分から正反射される光を表す複数のカラーベースの値で構成されている、請求項５９に記載の方法。
【請求項８３】
比較が、複数のカラーベースの値の各々を涙液膜層の光波干渉モデルと比較するステップから構成され、および
ＴＦＬＴの測定が、複数のカラーベースの値の各々を涙液膜層の光波干渉モデルと比較することに基づき、複数のカラーベースの値の各々についてＴＦＬＴを測定するステップから構成される、請求項８２に記載の方法。
【請求項８４】
さらに、複数のカラーベースの値の各々の涙液膜層の光波干渉モデルとの比較を平均するステップを含む、請求項８３に記載の方法。
【請求項８５】
ＴＦＬＴの測定が、さらに、複数のカラーベースの値の各々の、涙液膜層の光波干渉モデル中のカラーベースの値に最も密接に整合しているカラーベースの値を決定するステップを含んでいる、請求項８３に記載の方法。
【請求項８６】
さらに、涙液膜層の光波干渉モデル中の最も密接に整合しているカラーベースの値のＴＦＬＴヒストグラムを構築するステップを含む、請求項８５に記載の方法。
【請求項８７】
複数のカラーベースの値の各々が、少なくとも１つの生成画像における眼球涙液膜の対象領域中のピクセルを表す、請求項８５に記載の方法。
【請求項８８】
さらに、予め規定された強度のしきい値未満の強度を有する複数のカラーベースの値の中のカラーベースの値を比較しないステップを含む、請求項８３に記載の方法。
【請求項８９】
さらに、複数のカラーベースの値の間のカラーベースの値を使わずに、涙液膜層の光波干渉モデルの軌跡の近交差部分の近くに在るＴＦＬＴを測定するステップを含む、請求項８３に記載の方法。
【請求項９０】
複数のカラーベースの値の中のカラーベースの値を使わずに、涙液膜層の光波干渉モデルの軌跡の近交差部分の近くに在るＴＦＬＴを測定するステップが、パレットまでの予め規定された許容距離（ＡＤＰ）に基づいている、請求項８３に記載の方法。
【請求項９１】
涙液膜層の厚さ（ＴＦＬＴ）を測定する装置であって、
（ａ）多波長光源によって照明されている間、画像形成装置によって獲得された、眼球涙液膜の対象領域からの背景信号および正反射光の光波干渉を含む少なくとも１つの第一画像を受信し；
（ｂ）画像形成装置によって獲得された眼球涙液膜の対象領域からの背景信号を含む少なくとも１つの第二画像を受信し；
（ｃ）少なくとも１つの第二画像を少なくとも１つの第一画像から減算して、背景信号を除いた又は減少させた眼球涙液膜の対象領域から正反射される光の光波干渉を含む少なくとも１つの生成画像を作成し；
（ｄ）眼球涙液膜の対象領域の少なくとも一部分から正反射される光の光波干渉を表す少なくとも１つの生成画像の少なくとも一部分を、少なくとも１つのカラーベースの値に変換し；
（ｅ）少なくとも１つのカラーベースの値を、涙液膜層の光波干渉モデルと比較し；次いで
（ｆ）少なくとも１つのカラーベースの値の涙液膜層の光波干渉モデルとの比較に基づいて、眼球涙液膜の対象領域の少なくとも一部分のＴＦＬＴを測定する
ように構成された制御システムを備えている、装置。
【請求項９２】
涙液膜光波干渉モデルが、理論的な涙液膜光波干渉モデルで構成されている、請求項９１に記載の装置。
【請求項９３】
制御システムが、さらに、ステップ（ｄ）、（ｅ）および（ｆ）の前に、しきい値関数を少なくとも１つの生成画像に適用するように構成されている、請求項９１に記載の装置。
【請求項９４】
制御システムが、さらに、ステップ（ｄ）、（ｅ）および（ｆ）の前に、空間の収縮関数および膨張関数の少なくとも一方を、少なくとも１つの生成画像に適用するように構成されている、請求項９１に記載の装置。
【請求項９５】
制御システムが、さらに、ステップ（ｄ）、（ｅ）および（ｆ）の前に、まぶたの瞬き又は眼の運動が画像形成装置によって、少なくとも１つの第一画像および少なくとも第二画像に獲得されたかどうか検出するように構成されている、請求項９１に記載の装置。
【請求項９６】
制御システムが、さらに、複数の第一画像を受信するステップ（ａ）と、複数の第一画像でインタリーブされた複数の第二画像を受信するステップ（ｂ）とを連続して繰り返して、複数の第一と第二の画像のペアを提供するように構成されている、請求項９１に記載の装置。
【請求項９７】
制御システムが、複数の第一と第二の画像のペア由来の複数の第二画像を、複数の第一と第二の画像のペア由来の対応する複数の第一画像から減算して、背景信号を除いた又は減少させた、眼球涙液膜の対象領域から正反射される光の光波干渉を各々が含む複数の生成画像を作成するように構成されている、請求項９６に記載の装置。
【請求項９８】
制御システムが、ステップ（ｄ）、（ｅ）および（ｆ）の前に、まぶたの瞬き又は眼の運動が画像形成装置によって、複数の第一と第二の画像のペアのいずれかに獲得されたかどうか検出するように構成されている、請求項９６に記載の装置。
【請求項９９】
制御システムが、ステップ（ｄ）、（ｅ）および（ｆ）の前に、複数の生成画像中にまぶたの瞬き又は眼の運動を獲得している複数の第一と第二の画像のペアをいずれも含まないように構成されている、請求項９８に記載の装置。
【請求項１００】
制御システムが、ステップ（ｄ）、（ｅ）および（ｆ）の前に、まぶたの瞬き又は眼の運動を獲得している複数の生成画像から、複数の第一と第二の画像のペアのいずれかを除くように構成されている、請求項９８に記載の装置。
【請求項１０１】
制御システムが、まぶたの瞬き又は眼の運動が、画像形成装置によって少なくとも１つの第一画像および少なくとも１つの第二画像に獲得されたかどうか検出するように構成され、少なくとも１つの生成画像の強度の関数である、請求項９５に記載の装置。
【請求項１０２】
制御システムが、まぶたの瞬き又は眼の運動が、画像形成装置によって少なくとも１つの第一画像および少なくとも１つの第二画像に獲得されたかどうか検出するように構成され、少なくとも１つの第一画像および少なくとも１つの第二画像中に瞳孔を検出することを含む、請求項９５に記載の装置。
【請求項１０３】
制御システムが、さらに、少なくとも１つの生成画像中の少なくとも１つのカラーベースの値を、Ｉｎｔｅｒｎａｔｉｏｎａｌ  Ｃｏｌｏｕｒ  Ｃｏｎｓｏｒｔｉｕｍ（ＩＣＣ）に基づいて調節するように構成されている、請求項９１に記載の装置。
【請求項１０４】
制御システムが、さらに、ステップ（ｅ）および（ｆ）の前に、少なくとも１つの生成画像からオフセットを減算するように構成されている、請求項９１に記載の装置。
【請求項１０５】
少なくとも１つのカラーベースの値が、少なくとも１つの赤−緑−青（ＲＧＢ）成分値で構成されている、請求項９１に記載の装置。
【請求項１０６】
制御システムが、少なくとも１つのカラーベースの値を涙液膜層の光波干渉モデルと比較するように構成され、涙液膜層の光波干渉モデルにおける少なくとも１つのカラーベースの値への最も密接な整合項目を決定するステップを含んでいる、請求項９１に記載の装置。
【請求項１０７】
制御システムが、最も密接な整合項目を決定するように構成され、少なくとも１つのカラーベースの値と涙液膜層の光波干渉モデル中のカラーベースの値との最も近い差を決定するステップを含む、請求項１０６に記載の装置。
【請求項１０８】
制御システムが、少なくとも１つのカラーベースの値の涙液膜層の光波干渉モデルとの比較に基づいて、眼球涙液膜の対象領域の少なくとも一部分のＴＦＬＴを測定するように構成され、さらに、脂質層の厚さ（ＬＬＴ）および水性層の厚さ（ＡＬＴ）の少なくとも一方を測定するステップを含む、請求項９１に記載の装置。
【請求項１０９】
涙液膜層の光波干渉モデルが、脂質層の厚さ（ＬＬＴ）および水性層の厚さ（ＡＬＴ）の少なくとも一方に各々が対応する、複数のカラーベースの値で構成されている、請求項９１に記載の装置。
【請求項１１０】
涙液膜層の光波干渉モデルが、２４０ナノメートル（ｎｍ）のＬＬＴの表示を超えない複数のカラーベースの値に限定されている、請求項９１に記載の装置。
【請求項１１１】
涙液膜層の光波干渉モデルが、脂質層の厚さ（ＬＬＴ）に各々が対応する複数のカラーベースの値を含む第一次元、および水性層の厚さ（ＡＬＴ）に各々が対応する複数のカラーベースの値を含む第二次元からなる、少なくとも２つの次元で構成される、請求項９１に記載の装置。
【請求項１１２】
涙液膜層の光波干渉モデルが、２波涙液膜層光波干渉モデルおよび３波涙液膜層光波干渉モデルからなるグループで構成されるモデルである、請求項９１に記載の装置。
【請求項１１３】
眼球涙液膜の対象領域の少なくとも一部分から正反射される光の光波干渉を表す少なくとも１つの生成画像の少なくとも一部分が、少なくとも１つの生成画像中のピクセルを表す、請求項９１に記載の装置。
【請求項１１４】
少なくとも１つのカラーベースの値が、眼球涙液膜の対象領域の複数の部分から正反射される光を表す複数のカラーベースの値で構成されている、請求項９１に記載の装置。
【請求項１１５】
制御システムが、複数のカラーベースの値の各々を、涙液膜層光波干渉モデルと比較し；次いで
複数のカラーベースの値の各々と涙液膜層光波干渉モデルとの比較に基づいて、複数のカラーベースの値の各々についてＴＦＬＴを測定するように構成されている、請求項１１４に記載の装置。
【請求項１１６】
制御システムが、さらに、複数のカラーベースの値の各々の涙液膜層光波干渉モデルとの比較を平均するように構成されている、請求項１１５に記載の装置。
【請求項１１７】
制御システムが、さらに、複数のカラーベースの値の各々の、涙液膜層の光波干渉モデル中のカラーベースの値に最も密接に整合しているカラーベースの値を決定することによって、ＴＦＬＴの測定を決定するように構成されている、請求項１１５に記載の装置。
【請求項１１８】
制御システムが、さらに、涙液膜層光波干渉モデル中の最も密接に整合しているカラーベースの値のＴＦＬＴヒストグラムを構築するように構成されている、請求項１１７に記載の装置。
【請求項１１９】
複数のカラーベースの値の各々が、少なくとも１つの生成画像における眼球涙液膜の対象領域中のピクセルを表す、請求項１１７に記載の装置。
【請求項１２０】
制御システムが、さらに、予め規定された強度のしきい値未満の強度を有する複数のカラーベースの値の中のカラーベースの値を比較しないように構成されている、請求項１１５に記載の装置。
【請求項１２１】
制御システムが、さらに、複数のカラーベースの値の中のカラーベースの値を使用せずに、涙液膜層光波干渉モデルの軌跡の近交差部分の近くに在るＴＦＬＴを測定するように構成されている、請求項１１５に記載の装置。
【請求項１２２】
制御システムが、さらに、複数のカラーベースの値の中のカラーベースの値を使用せずに、涙液膜層光波干渉モデルの軌跡の近交差部分の近くに在るＴＦＬＴの測定が、パレットまでの予め規定された許容距離（ＡＤＰ）に基づくように構成されている、請求項１１５に記載の装置。
【請求項１２３】
さらに、眼球涙液膜の対象領域を多波長光で照明するように構成された多波長光源を含む、請求項９１に記載の装置。
【請求項１２４】
多波長光源が、眼球涙液膜の対象領域を均一もしくは実質的に均一に照明するように構成された多波長のランバート光源からなる、請求項１２３に記載の装置。
【請求項１２５】
さらに、多波長光によって照明されている間、眼球涙液膜の対象領域からの背景信号および正反射光の光波干渉を少なくとも１つの第一画像に獲得し、および眼球涙液膜の対象領域からの背景信号を少なくとも１つの第二画像に獲得するように構成された画像形成装置を備えている、請求項９１に記載の装置。